(57)【要約】【課題】  ＩＣチップを利用し、市販の書物や機密文書などが不正に複製されるのを防止することができる画像処理装置を提供する。【解決手段】  非接触式のＩＣチップに対して情報の読み取りと情報の書き込みを行うリーダ／ライタ１１と、このリーダ／ライタ１１により原稿６に内蔵されたＩＣチップの情報を読み取り、ＩＣチップに記録された原稿情報に基づき前記原稿の複製を許可するか否か判定し、複製可能な原稿であると判定した場合に複製動作を許容するように制御する判定制御手段と、を備えるようにした。【選択図】        図１
2006184330.tif 000002
【特許請求の範囲】
【請求項１】
非接触式のＩＣチップに対して情報の読み取りと情報の書き込みを行うリーダ／ライタ手段と、該リーダ／ライタ手段により原稿に内蔵された前記ＩＣチップの情報を読み取り、前記ＩＣチップに記録された原稿情報に基づき前記原稿の複製を許可するか否か判定し、複製可能な原稿であると判定した場合に複製動作を許容するように制御する判定制御手段と、を備えたことを特徴とする画像処理装置。
【請求項２】
請求項１記載の画像処理装置において、前記ＩＣチップには複製回数情報が記録されており、前記制御手段は、前記ＩＣチップに記録されている複製回数情報が許容回数以下である場合には複製を許可して、複製された用紙が正常に排紙された時点で、前記ＩＣチップに複製回数情報を書き込むことを特徴とする画像処理装置。
【請求項３】
請求項１に記載の画像処理装置と、前記原稿に内蔵されたＩＣチップの情報を読み取ることができる携帯端末装置と、管理サーバとがネットワークにより接続された画像処理システムであって、
前記携帯端末装置より前記ＩＣチップに書き込まれた情報を基に複製をしたい趣旨のメールを前記管理サーバに送信し、前記メールを受け取った前記管理サーバにおいて複製可能かどうかを判定し、複製可能なときは複製が可能な旨を前記携帯端末装置及び前記画像処理装置に送信すると共に、画像処理装置は、前記複製可能情報に基づき前記原稿の複写を許可することを特徴とする画像処理システム。
【請求項４】
請求項２に記載の画像処理装置と、管理サーバとがネットワークにより接続された画像処理システムであって、前記管理サーバを経由して複製を許可する際に、前記管理サーバ上において複製許可枚数と複製枚数を記憶して複製管理を行うことを特徴とする画像処理システム。
【請求項５】
請求項１に記載の画像処理装置と、課金サーバとがネットワークにより接続された画像処理システムであって、前記画像処理装置における複写の課金を前記課金サーバにより行うことを特徴とする画像処理システム。
【発明の詳細な説明】
【技術分野】
【０００１】
本発明は、画像処理装置及び画像処理システムに関し、特にその印刷許可技術に関する。
【背景技術】
【０００２】
近年、小型のＩＣチップが、市場に出回り、各種のサービスや、配送システムなどに利用されている。特に、非接触型ＩＣチップがいろいろな分野で利用されるようになり、文庫本や雑誌にも格納することが可能となり、配送管理などに利用されることができるようになってきた。このようなＩＣチップは市販の書物や、機密文書などにも、内蔵することが可能となっており、配送管理などにも使われ始めている。
【発明の開示】
【発明が解決しようとする課題】
【０００３】
近年複写機やプリンタなどの画像処理装置は、ユーザ管理により、複写できるユーザを特定するなどの機能が付加されているが、複写する原稿そのものの管理は、ユーザ任せである。そして複写原稿には、無断コピー禁止の注意書きがなされているが、管理し切れていないのが現状である。
本発明は、ＩＣチップを利用し、市販の書物や機密文書などが不正に複製されるのを防止することができる画像処理装置及び画像処理システムを提供することを目的とする。
【課題を解決するための手段】
【０００４】
上記目的を達成するために、請求項１記載の発明は、非接触式のＩＣチップに対して情報の読み取りと情報の書き込みを行うリーダ／ライタ手段と、該リーダ／ライタ手段により原稿に内蔵された前記ＩＣチップの情報を読み取り、前記ＩＣチップに記録された原稿情報に基づき前記原稿の複製を許可するか否か判定し、複製可能な原稿であると判定した場合に複製動作を許容するように制御する制御手段と、を備えた画像処理装置を特徴とする。
請求項２記載の発明は、請求項１記載の画像処理装置において、前記ＩＣチップには複製回数情報が記録されており、前記制御手段は、前記ＩＣチップに記録されている複製回数情報が許容回数以下である場合には複製を許可して、複製された用紙が正常に排紙された時点で、前記ＩＣチップに複製回数情報を書き込む画像処理装置を特徴とする。
請求項３記載の発明は、請求項１に記載の画像処理装置と、前記原稿に内蔵されたＩＣチップの情報を読み取ることができる携帯端末装置と、管理サーバとがネットワークにより接続された画像処理システムであって、前記携帯端末装置より前記ＩＣチップに書き込まれた情報を基に複製をしたい趣旨のメールを前記管理サーバに送信し、前記メールを受け取った前記管理サーバにおいて複製可能かどうかを判定し、複製可能なときは複製が可能な旨を前記形態端末装置及び前記画像処理装置に送信すると共に、画像処理装置は、前記複製可能情報に基づき前記原稿の複写を許可する画像処理システムを特徴とする。
請求項４記載の発明は、請求項２に記載の画像処理装置と、管理サーバとがネットワークにより接続された画像処理システムであって、前記管理サーバを経由して複製を許可する際に、前記管理サーバ上において複製許可枚数と複製枚数を記憶して複製管理を行う画像処理システムを特徴とする。
請求項５記載の発明は、請求項１に記載の画像処理装置と、課金サーバとがネットワークにより接続された画像処理システムであって、前記画像処理装置における複写の課金を前記課金サーバにより行う画像処理システムを特徴とする。
【発明の効果】
【０００５】
本発明により、著作権などが問題になる蔵書や、機密文書などの複写枚数を管理でき、信頼性の高い画像処理装置、画像処理システムを提供することができる。
【発明を実施するための最良の形態】
【０００６】
以下、本発明の実施の形態を図面に従って説明する。
図１は本発明の実施の形態に係る画像処理システムの構成図である。
この図１に示す本実施の形態の画像処理システムは、プリント機能およびスキャナ機能を有し、かつネットワーク接続可能な複合機（ＭＦＰ）１と、課金サーバ２と、複写管理サーバ３と、携帯情報端末としての機能を有する携帯電話４とがネットワーク５により接続されている。
複写原稿（書類）６にはＩＣチップ７が内蔵されている。ＩＣチップ７の内部には、図１に示すような情報２１又は情報２２が保存されている。
情報２１には、例えばメーカー、名称、製造年月日、紙サイズ、筆者、発行者、発行年月日、固有ＩＤ番号、課金用サーバ（ＵＲＬ）、複写許可枚数と実際の複写枚数が保存されている。
また情報２２には、例えばメーカー、名称、製造年月日、紙サイズ、筆者、発行者、発行年月日、固有ＩＤ番号、複写サービス用ＵＲＬなどが保存されている。
複合機１は、ＩＣチップリーダ・ライタ１１と操作表示部１２を有している。
ＩＣチップ７内に保存されている情報２１、２２は、ＩＣチップリーダ・ライタ１１で読み取られ、複合機１内の図示しない判定制御部で判定されるようになっている。携帯端末装置である携帯電話４もＩＣチップの情報を読み取るＩＣチップリーダを有し、ＩＣチップ７に記憶されている情報２１、２２を読み取ることができるようになっている。
図２は複合機１においてＩＣチップの情報を判定する場合のフロー図である。
ＩＣチップ７に記憶された情報２１、２２は、ユーザがＩＣチップ７をＩＣチップリーダ・ライタ１１近くに翳すことでＩＣチップ６の情報を読み取り、残りのコピー可能枚数が図示しない判定制御部により判定される。その判定結果は操作表示部１２に表示される。ユーザが操作表示部１２の図示しないスタートボタンを押下し、複合機１により１枚ごとの複写が終了するたびに、ＩＣチップ７内の複写された回数情報をカウントアップして保存を行う。
複写途中で原稿を抜いてしまった場合は、複写動作自体が停止する。複数の原稿を複数枚複写する場合はソートして読み取り動作が終了した段階で、コピーをするかどうかのメッセージを表示し、スタートボタンにより複写が開始され、この段階でＩＣチップ７の情報２１において複写された回数がカウントアップされ、保存される。なお、このような動作フローに従って印刷情報画面には図示すような表示が行われることになる。
【０００７】
図３は複写管理サーバ経由でＩＣチップの情報から複写可否の判定をする場合のフロー図である。このフローでは、携帯電話４により複写可能かどうかを判定し、複写を行う。ＩＣチップ７内には、情報２２に示すように、サービスを行うＵＲＬ情報が保存されている。
ユーザは複写したい原稿を、情報２２を読み取ることが可能な携帯電話４に近づける。携帯電話４は、ＩＣチップ７に書かれたＵＲＬ情報を基に、複写管理サーバ３にアクセスを行う。例えば、複写したい場合には複写管理サーバに複写許可申請メールを送信する。
複写管理サーバ３は、ＩＣチップ７に保存さている固有ＩＤ番号より、その発行物の複写可能枚数と、それまでに複写された回数を比較し、複写可能かどうかを判断する。複写可能ならばユーザは携帯電話４に指示されたコピー可能枚数と金額を表示するメールを送信すると共に、複合機１に指示されたコピー可能枚数表示すメールを送信する。この後、複合機１では、複写枚数などの印刷条件設定を行い複写管理サーバ３に複写許可を依頼する。複写管理サーバ３上では再度条件が可能かを判定して複合機１に印刷条件を送信する。複合機１側は、印刷条件が送られてきたら複写原稿６のＩＣチップＩＤと条件を判定し、スタートボタンの押下により印刷を行う。印刷が終了すると、複写管理サーバ２において現在までの複写枚数をプラスして保存すると、複合機１より終了通知が課金サーバ２に送られ、携帯電話４のユーザ毎の利用料金を課金することになる。
なお、このような動作フローに従って携帯電話画面と複写機画面には図示すような表示が行われることになる。
【０００８】
このように本実施形態の画像処理装置は、非接触式のＩＣチップ７に対して情報の読み取りと情報の書き込みを行うリーダ／ライタ１１と、このリーダ／ライタ１１により原稿６に内蔵されたＩＣチップ７の情報を読み取り、ＩＣチップ７に記録された原稿情報に基づき原稿７の複製を許可するか否か判定し、複製可能な原稿であると判定した場合に複製動作を許容するように制御する図示しない制御手段を複合機１に備えるようにした。
またＩＣチップ７には複製回数情報が記録されており、複合機１の制御手段はＩＣチップ７に記録されている複製回数情報が許容回数以下である場合には複製を許可して、複製された用紙が正常に排紙された時点で、ＩＣチップ７に複製回数情報を書き込むようにした。
さらに複合機１と、原稿６に内蔵されたＩＣチップ７の情報を読み取ることができる携帯電話４、複写管理サーバ３とがネットワーク５により接続された画像処理システムであって、携帯電話４よりＩＣチップ７に書き込まれた情報を基に複製をしたい趣旨のメールを複写管理サーバ３に送信し、メールを受け取った複写管理サーバ３において複製可能かどうかを判定し、複製可能なときは複製が可能な旨を携帯電話４及び複合機１に送信すると共に、複合機１は複製可能情報に基づき原稿６の複写を許可するようにした。
さらに、本実施の形態では、複合機１、複写管理サーバ３とがネットワーク５により接続された画像処理システムであって、複写管理サーバ３を経由して複製を許可する際に、複写管理サーバ３上において複製許可枚数と複製枚数を記憶して複製管理を行うようにした。
さらに複合機１と、課金サーバ２とがネットワーク５により接続された画像処理システムであって、複合機１における複写の課金を前記課金サーバ２により行うようにした。
【図面の簡単な説明】
【０００９】
【図１】本発明の実施の形態に係る画像処理システムの構成図。
【図２】複合機でＩＣチップの情報を判定する場合のフロー図。
【図３】複写管理サーバ経由でＩＣチップの情報から複写可否の判定をする場合のフロー図。
【符号の説明】
【００１０】
１  複合機（画像処理装置）、２  課金サーバ、３  複写管理サーバ、４  携帯電話、５  ネットワーク、６  複写原稿、７  ＩＣチップ
【図１】
2006184330.tif 000003
【図２】
2006184330.tif 000004
【図３】
2006184330.tif 000005